【手続補正書】
【提出日】平成19年7月10日(2007.7.10)
【手続補正１】
【補正対象書類名】明細書
【補正対象項目名】発明の名称
【補正方法】変更
【補正の内容】
【発明の名称】記録媒体、情報記録装置及び方法、情報再生装置及び方法並びに情報記録用プログラム及び情報再生用プログラム
【手続補正２】
【補正対象書類名】明細書
【補正対象項目名】特許請求の範囲
【補正方法】変更
【補正の内容】
【特許請求の範囲】
【請求項１】  第一記録情報片が少なくとも一つ記録されている記録情報記録領域と、
前記第一記録情報片の再生手順を示す再生手順情報が記録されている再生手順情報記録領域と、
統合再生手順情報と、開始アドレス情報と、が記録されている統合再生手順情報記録領域と、
前記第一記録情報片が前記他の情報記録媒体に関連していることを示す関連情報が記録されている関連情報記録領域と、
を備え、
前記統合再生手順情報は、前記第一記録情報片と、他の情報記録媒体に記録されている少なくとも第二記録情報片と、を連続して再生するための再生手順を示す統合再生手順情報であり、
更に前記開始アドレス情報は、前記統合再生手順情報の開始アドレスを示す開始アドレス情報であることを特徴とする記録媒体。
【請求項２】  請求項１に記載の記録媒体において、
前記統合再生手順情報は参照情報を含んでおり、
当該参照情報は、前記再生手順情報と、前記他の記録媒体に記録されている他の前記再生手順情報と、を参照するための参照情報であり、
前記他の再生手順情報は、前記他の情報記録媒体に記録されている前記第二記録情報片の再生手順を示す再生手順情報であることを特徴とする記録媒体。
【請求項３】  請求項１に記載の記録媒体において、
各前記記録情報片を前記情報記録媒体に記録する時の記録手順とは異なる手順に従って当該各情報記録片を再生するための少なくとも一の再生手順を、各前記再生手順情報が含むことを特徴とする記録媒体。
【請求項４】  統合再生手順情報と、開始アドレス情報と、関連情報と、を情報記録媒体に記録する情報記録装置であって、前記情報記録媒体には、少なくとも一つの第一記録情報片が当該第一記録情報片の再生手順を示す再生手順情報と共に記録され、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報であり、更に前記関連情報は、前記第一記録情報片が前記他の情報記録媒体に関連していることを示す関連情報である情報記録装置において、
前記統合再生手順情報を生成するために用いられる前記再生手順情報を選択する選択手段と、
前記選択された再生手順情報を用いて前記統合再生手順情報を生成する生成手段と、
前記生成された統合再生手順情報と、前記開始アドレス情報と、前記関連情報と、を前記情報記録媒体に記録する記録手段と、
を備えることを特徴とする情報記録装置。
【請求項５】  請求項４に記載の情報記録装置において、
前記統合再生手順情報は参照情報を含んでおり、
当該参照情報は、前記再生手順情報と、前記他の記録媒体に記録されている他の前記再生手順情報と、を参照するための参照情報であり、
前記他の再生手順情報は、前記他の情報記録媒体に記録されている前記第二記録情報片の再生手順を示す再生手順情報であることを特徴とする情報記録装置。
【請求項６】  統合再生手順情報と、開始アドレス情報と、関連情報と、少なくとも第一記録情報片と、前記第一記録情報片の再生手順を示す再生手順情報と、が記録されている情報記録媒体から記録情報を再生する情報再生装置であって、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報である情報再生装置において、
複数の情報記録媒体からいずれか一つの前記統合再生手順情報を選択する選択手段と、
前記選択された統合再生手順情報により示される少なくともいずれか一つの前記再生手順に対応する再生手順情報を、複数の前記情報記録媒体のいずれか一つから取得する取得手段と、
前記取得した再生手順情報により示される少なくとも一つの再生手順に従って前記記録情報を再生する再生手段と、
を備えることを特徴とする情報再生装置。
【請求項７】  請求項６に記載の情報再生装置において、
前記統合再生手順情報は参照情報を含んでおり、
当該参照情報は、前記再生手順情報と、前記他の記録媒体に記録されている他の前記再生手順情報と、を参照するための参照情報であり、
前記他の再生手順情報は、前記他の情報記録媒体に記録されている前記第二記録情報片の再生手順を示す再生手順情報であることを特徴とする情報再生装置。
【請求項８】  請求項６に記載の情報再生装置において、
各前記記録情報片を前記情報記録媒体に記録する時の記録手順とは異なる手順に従って当該各情報記録片を再生するための少なくとも一の再生手順を、各前記再生手順情報が含むことを特徴とする情報再生装置。
【請求項９】  統合再生手順情報と、開始アドレス情報と、関連情報と、を情報記録媒体に記録する情報記録方法であって、前記情報記録媒体には、少なくとも一つの第一記録情報片が当該第一記録情報片の再生手順を示す再生手順情報と共に記録され、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報であり、更に前記関連情報は、前記第一記録情報片が前記他の情報記録媒体に関連していることを示す関連情報である情報記録方法において、
前記統合再生手順情報を生成するために用いられる前記再生手順情報を選択する選択工程と、
前記選択された再生手順情報を用いて前記統合再生手順情報を生成する生成工程と、
前記生成された統合再生手順情報と、前記開始アドレス情報と、前記関連情報と、を前記情報記録媒体に記録する記録工程と、
を含むことを特徴とする情報記録方法。
【請求項１０】  請求項９に記載の情報記録方法において、
前記統合再生手順情報は参照情報を含んでおり、
当該参照情報は、前記再生手順情報と、前記他の記録媒体に記録されている他の前記再生手順情報と、を参照するための参照情報であり、
前記他の再生手順情報は、前記他の情報記録媒体に記録されている前記第二記録情報片の再生手順を示す再生手順情報であることを特徴とする情報記録方法。
【請求項１１】  統合再生手順情報と、開始アドレス情報と、関連情報と、少なくとも第一記録情報片と、前記第一記録情報片の再生手順を示す再生手順情報と、が記録されている情報記録媒体から記録情報を再生する情報再生方法であって、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報である条再生方法において、
複数の情報記録媒体からいずれか一つの前記統合再生手順情報を選択する選択工程と、
前記選択された統合再生手順情報により示される少なくともいずれか一つの前記再生手順に対応する再生手順情報を、複数の前記情報記録媒体のいずれか一つから取得する取得工程と、
前記取得した再生手順情報により示される少なくとも一つの再生手順に従って前記記録情報を再生する再生工程と、
を含むことを特徴とする情報再生方法。
【請求項１２】  請求項１１に記載の情報再生方法において、
前記統合再生手順情報は参照情報を含んでおり、
当該参照情報は、前記再生手順情報と、前記他の記録媒体に記録されている他の前記再生手順情報と、を参照するための参照情報であり、
前記他の再生手順情報は、前記他の情報記録媒体に記録されている前記第二記録情報片の再生手順を示す再生手順情報であることを特徴とする情報再生方法。
【請求項１３】  請求項１１に記載の情報再生方法において、
各前記記録情報片を前記情報記録媒体に記録する時の記録手順とは異なる手順に従って当該各情報記録片を再生するための少なくとも一の再生手順を、各前記再生手順情報が含むことを特徴とする情報再生方法。
【請求項１４】  統合再生手順情報と、開始アドレス情報と、関連情報と、を情報記録媒体に記録する情報記録装置であって、前記情報記録媒体には、少なくとも一つの第一記録情報片が当該第一記録情報片の再生手順を示す再生手順情報と共に記録され、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報であり、更に前記関連情報は、前記第一記録情報片が前記他の情報記録媒体に関連していることを示す関連情報である情報記録装置に含まれるコンピュータを、
前記統合再生手順情報を生成するために用いられる前記再生手順情報を選択する選択手段、
前記選択された再生手順情報を用いて前記統合再生手順情報を生成する生成手段、及び、
前記生成された統合再生手順情報と、前記開始アドレス情報と、前記関連情報と、を前記情報記録媒体に記録する記録手段、
として機能させることを特徴とする情報記録用プログラム。
【請求項１５】  請求項１４に記載の情報記録用プログラムにおいて、
前記統合再生手順情報は参照情報を含んでおり、
当該参照情報は、前記再生手順情報と、前記他の記録媒体に記録されている他の前記再生手順情報と、を参照するための参照情報であり、
前記他の再生手順情報は、前記他の情報記録媒体に記録されている前記第二記録情報片の再生手順を示す再生手順情報であることを特徴とする情報記録用プログラム。
【請求項１６】  統合再生手順情報と、開始アドレス情報と、関連情報と、少なくとも第一記録情報片と、前記第一記録情報片の再生手順を示す再生手順情報と、が記録されている情報記録媒体から記録情報を再生する情報再生装置であって、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報である情報再生装置に含まれるコンピュータを、
複数の情報記録媒体からいずれか一つの前記統合再生手順情報を選択する選択手段、
前記選択された統合再生手順情報により示される少なくともいずれか一つの前記再生手順に対応する再生手順情報を、複数の前記情報記録媒体のいずれか一つから取得する取得手段、及び、
前記取得した再生手順情報により示される少なくとも一つの再生手順に従って前記記録情報を再生する再生手段、
として機能させることを特徴とする情報再生用プログラム。
【請求項１７】  請求項１６に記載の情報再生用プログラムにおいて、
前記統合再生手順情報は参照情報を含んでおり、
当該参照情報は、前記再生手順情報と、前記他の記録媒体に記録されている他の前記再生手順情報と、を参照するための参照情報であり、
前記他の再生手順情報は、前記他の情報記録媒体に記録されている前記第二記録情報片の再生手順を示す再生手順情報であることを特徴とする情報再生用プログラム。
【請求項１８】  請求項１６に記載の情報再生用プログラムにおいて、
各前記記録情報片を前記情報記録媒体に記録する時の記録手順とは異なる手順に従って当該各情報記録片を再生するための少なくとも一の再生手順を、各前記再生手順情報が含むことを特徴とする情報再生用プログラム。
【手続補正３】
【補正対象書類名】明細書
【補正対象項目名】００１１
【補正方法】変更
【補正の内容】
【００１１】
【課題を解決するための手段】
上記の課題を解決するために、請求項１に記載の発明は、第一記録情報片が少なくとも一つ記録されている記録情報記録領域と、前記第一記録情報片の再生手順を示す再生手順情報が記録されている再生手順情報記録領域と、統合再生手順情報と、開始アドレス情報と、が記録されている統合再生手順情報記録領域と、前記第一記録情報片が前記他の情報記録媒体に関連していることを示す関連情報が記録されている関連情報記録領域と、を備え、前記統合再生手順情報は、前記第一記録情報片と、他の情報記録媒体に記録されている少なくとも第二記録情報片と、を連続して再生するための再生手順を示す統合再生手順情報であり、更に前記開始アドレス情報は、前記統合再生手順情報の開始アドレスを示す開始アドレス情報であるように構成される。
【手続補正４】
【補正対象書類名】明細書
【補正対象項目名】００１２
【補正方法】変更
【補正の内容】
【００１２】
上記の課題を解決するために、請求項４に記載の発明は、統合再生手順情報と、開始アドレス情報と、関連情報と、を情報記録媒体に記録する情報記録装置であって、前記情報記録媒体には、少なくとも一つの第一記録情報片が当該第一記録情報片の再生手順を示す再生手順情報と共に記録され、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報であり、更に前記関連情報は、前記第一記録情報片が前記他の情報記録媒体に関連していることを示す関連情報である情報記録装置において、前記統合再生手順情報を生成するために用いられる前記再生手順情報を選択する選択手段と、前記選択された再生手順情報を用いて前記統合再生手順情報を生成する生成手段と、前記生成された統合再生手順情報と、前記開始アドレス情報と、前記関連情報と、を前記情報記録媒体に記録する記録手段と、を備える。
【手続補正５】
【補正対象書類名】明細書
【補正対象項目名】００１３
【補正方法】変更
【補正の内容】
【００１３】
上記の課題を解決するために、請求項６に記載の発明は、統合再生手順情報と、開始アドレス情報と、関連情報と、少なくとも第一記録情報片と、前記第一記録情報片の再生手順を示す再生手順情報と、が記録されている情報記録媒体から記録情報を再生する情報再生装置であって、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報である条再生装置において、複数の情報記録媒体からいずれか一つの前記統合再生手順情報を選択する選択手段と、前記選択された統合再生手順情報により示される少なくともいずれか一つの前記再生手順に対応する再生手順情報を、複数の前記情報記録媒体のいずれか一つから取得する取得手段と、前記取得した再生手順情報により示される少なくとも一つの再生手順に従って前記記録情報を再生する再生手段と、を備える。
【手続補正６】
【補正対象書類名】明細書
【補正対象項目名】００１４
【補正方法】変更
【補正の内容】
【００１４】
上記の課題を解決するために、請求項９に記載の発明は、統合再生手順情報と、開始アドレス情報と、関連情報と、を情報記録媒体に記録する情報記録方法であって、前記情報記録媒体には、少なくとも一つの第一記録情報片が当該第一記録情報片の再生手順を示す再生手順情報と共に記録され、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報であり、更に前記関連情報は、前記第一記録情報片が前記他の情報記録媒体に関連していることを示す関連情報である情報記録方法において、前記統合再生手順情報を生成するために用いられる前記再生手順情報を選択する選択工程と、前記選択された再生手順情報を用いて前記統合再生手順情報を生成する生成工程と、前記生成された統合再生手順情報と、前記開始アドレス情報と、前記関連情報と、を前記情報記録媒体に記録する記録工程と、を含む。
【手続補正７】
【補正対象書類名】明細書
【補正対象項目名】００１５
【補正方法】変更
【補正の内容】
【００１５】
上記の課題を解決するために、請求項１１に記載の発明は、統合再生手順情報と、開始アドレス情報と、関連情報と、少なくとも第一記録情報片と、前記第一記録情報片の再生手順を示す再生手順情報と、が記録されている情報記録媒体から記録情報を再生する情報再生方法であって、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報である条再生方法において、複数の情報記録媒体からいずれか一つの前記統合再生手順情報を選択する選択工程と、前記選択された統合再生手順情報により示される少なくともいずれか一つの前記再生手順に対応する再生手順情報を、複数の前記情報記録媒体のいずれか一つから取得する取得工程と、前記取得した再生手順情報により示される少なくとも一つの再生手順に従って前記記録情報を再生する再生工程と、を含む。
【手続補正８】
【補正対象書類名】明細書
【補正対象項目名】００１６
【補正方法】変更
【補正の内容】
【００１６】
上記の課題を解決するために、請求項１４に記載の発明は、統合再生手順情報と、開始アドレス情報と、関連情報と、を情報記録媒体に記録する情報記録装置であって、前記情報記録媒体には、少なくとも一つの第一記録情報片が当該第一記録情報片の再生手順を示す再生手順情報と共に記録され、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報であり、更に前記関連情報は、前記第一記録情報片が前記他の情報記録媒体に関連していることを示す関連情報である情報記録装置に含まれるコンピュータを、前記統合再生手順情報を生成するために用いられる前記再生手順情報を選択する選択手段、前記選択された再生手順情報を用いて前記統合再生手順情報を生成する生成手段、及び、前記生成された統合再生手順情報と、前記開始アドレス情報と、前記関連情報と、を前記情報記録媒体に記録する記録手段、として機能させる。
【手続補正９】
【補正対象書類名】明細書
【補正対象項目名】００１７
【補正方法】変更
【補正の内容】
【００１７】
上記の課題を解決するために、請求項１６に記載の発明は、統合再生手順情報と、開始アドレス情報と、関連情報と、少なくとも第一記録情報片と、前記第一記録情報片の再生手順を示す再生手順情報と、が記録されている情報記録媒体から記録情報を再生する情報再生装置であって、前記統合再生手順情報は、前記第一記録情報片と、他の情報記録媒体に記録されている少なくとも第二記録情報片と、を連続して再生するための再生手順を示す統合再生手順情報であり、前記開始アドレス情報は、前記統合再生手順情報の開始アドレスを示す開始アドレス情報である情報再生装置に含まれるコンピュータを、複数の情報記録媒体からいずれか一つの前記統合再生手順情報を選択する選択手段、前記選択された統合再生手順情報により示される少なくともいずれか一つの前記再生手順に対応する再生手順情報を、複数の前記情報記録媒体のいずれか一つから取得する取得手段、及び、前記取得した再生手順情報により示される少なくとも一つの再生手順に従って前記記録情報を再生する再生手段、として機能させる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】０２３９
【補正方法】変更
【補正の内容】
【０２３９】
以上説明したように、実施形態の統合再生リストＧＬの記録再生処理によれば、二枚以上のＤＶＤに渡って記録されている二種以上の記録情報を連続して再生するための統合再生リストＧＬがＤＶＤ１’に記録されるので、二枚以上のＤＶＤに渡って記録されている種類の異なる記録情報を、その境界を跨いで連続して所望の再生手順により再生することができる。
従って、複数の記録情報が記録されている複数のＤＶＤから各記録情報を再生する場合に、より変化に富んだ再生態様でそれらを再生することができる。
【手続補正５６】
【補正対象書類名】明細書
【補正対象項目名】０２５６
【補正方法】削除
【補正の内容】
【手続補正５７】
【補正対象書類名】明細書
【補正対象項目名】０２５７
【補正方法】削除
【補正の内容】
【手続補正５８】
【補正対象書類名】明細書
【補正対象項目名】０２５８
【補正方法】削除
【補正の内容】
【手続補正５９】
【補正対象書類名】明細書
【補正対象項目名】０２５９
【補正方法】削除
【補正の内容】
【手続補正６０】
【補正対象書類名】明細書
【補正対象項目名】０２６０
【補正方法】削除
【補正の内容】
【手続補正６１】
【補正対象書類名】明細書
【補正対象項目名】０２６１
【補正方法】削除
【補正の内容】
【手続補正６２】
【補正対象書類名】明細書
【補正対象項目名】０２６２
【補正方法】削除
【補正の内容】
【手続補正６３】
【補正対象書類名】明細書
【補正対象項目名】０２６３
【補正方法】削除
【補正の内容】
【手続補正６４】
【補正対象書類名】明細書
【補正対象項目名】０２６４
【補正方法】削除
【補正の内容】
【手続補正６５】
【補正対象書類名】明細書
【補正対象項目名】０２６５
【補正方法】削除
【補正の内容】
【手続補正６６】
【補正対象書類名】明細書
【補正対象項目名】０２６６
【補正方法】削除
【補正の内容】
【手続補正６７】
【補正対象書類名】明細書
【補正対象項目名】０２６７
【補正方法】削除
【補正の内容】
【手続補正６８】
【補正対象書類名】明細書
【補正対象項目名】０２６８
【補正方法】削除
【補正の内容】
【手続補正６９】
【補正対象書類名】明細書
【補正対象項目名】０２６９
【補正方法】削除
【補正の内容】
【手続補正７０】
【補正対象書類名】明細書
【補正対象項目名】０２７０
【補正方法】削除
【補正の内容】
【手続補正７１】
【補正対象書類名】明細書
【補正対象項目名】０２７１
【補正方法】削除
【補正の内容】
【手続補正７２】
【補正対象書類名】明細書
【補正対象項目名】０２７２
【補正方法】削除
【補正の内容】
【手続補正７３】
【補正対象書類名】明細書
【補正対象項目名】０２７３
【補正方法】削除
【補正の内容】
【手続補正７４】
【補正対象書類名】明細書
【補正対象項目名】０２７４
【補正方法】削除
【補正の内容】
【手続補正７５】
【補正対象書類名】明細書
【補正対象項目名】０２７５
【補正方法】削除
【補正の内容】
【手続補正７６】
【補正対象書類名】明細書
【補正対象項目名】０２７６
【補正方法】削除
【補正の内容】
【手続補正７７】
【補正対象書類名】明細書
【補正対象項目名】０２７７
【補正方法】削除
【補正の内容】
【手続補正７８】
【補正対象書類名】明細書
【補正対象項目名】０２７８
【補正方法】削除
【補正の内容】
【手続補正７９】
【補正対象書類名】明細書
【補正対象項目名】０２７９
【補正方法】削除
【補正の内容】
【手続補正８０】
【補正対象書類名】明細書
【補正対象項目名】０２８０
【補正方法】削除
【補正の内容】
【手続補正８１】
【補正対象書類名】明細書
【補正対象項目名】０２８１
【補正方法】削除
【補正の内容】
【手続補正８２】
【補正対象書類名】明細書
【補正対象項目名】０２８２
【補正方法】削除
【補正の内容】
【手続補正８３】
【補正対象書類名】明細書
【補正対象項目名】０２８３
【補正方法】削除
【補正の内容】
【手続補正８４】
【補正対象書類名】明細書
【補正対象項目名】０２８４
【補正方法】削除
【補正の内容】
【手続補正８５】
【補正対象書類名】明細書
【補正対象項目名】０２８５
【補正方法】削除
【補正の内容】
【手続補正８６】
【補正対象書類名】明細書
【補正対象項目名】０２８６
【補正方法】削除
【補正の内容】
【手続補正８７】
【補正対象書類名】明細書
【補正対象項目名】０２８７
【補正方法】削除
【補正の内容】
【手続補正８８】
【補正対象書類名】明細書
【補正対象項目名】０２８８
【補正方法】削除
【補正の内容】